(57)【要約】【課題】第１課題は、日射病、熱中症等を防止する清涼具の提供、第２課題は、人体における発汗が著しい部位、例えば額部、頸部全体、頭頂部、側頭部、頬、又は背部上辺等の発汗を抑制すると共に、冷媒剤により当該部位に心地よい冷感と清涼感を長時間感じさせる、清涼具の提供、第３課題は、発汗した人体の各部位を手早く拭き取ることができる清涼具の提供である。【解決手段】清涼具ＨＣ１は、通気性、吸水性及び柔軟性に富むタオルパイル地及び／又はガーゼ地からなる本体１と、保水性、吸湿性及び膨張性を有する冷媒剤Ｐと、前記冷媒剤Ｐを収納する収納体６と、前記本体１のほぼ中心又は縦中心線上に形成されるガーゼ地からなるポケット５とから構成されている。【選択図】図１
2011104322.tif 000002
【特許請求の範囲】
【請求項１】
身体の背部上辺より上部に着装する汗拭き兼用清涼具であって、
通気性、吸水性及び柔軟性に富むタオルパイル地及び／又はガーゼ地からなる本体と、
保水性、吸湿性及び膨張性を有する冷媒剤と、
前記冷媒剤を収納する収納体と、
前記本体のほぼ中心又は縦中心線上に形成されるガーゼ地からなるポケットと、
から構成されることを特徴とした汗拭き兼用清涼具。
【請求項２】
前記本体の全体又は／及び一部の左右の長さ寸法が少なくとも額部及び頭部全体又は頸部を周回可能であると共に、左右の両端を結ぶことが可能な構成としている、
ことを特徴とする請求項１に記載の汗拭き兼用清涼具。
【請求項３】
前記本体の中央部をガーゼ地とし、当該中央部の左右に同寸のタオルパイル地を縫製してなるハチマキ状とした、
ことを特徴とする請求項１〜請求項２の何れかに記載の汗拭き兼用清涼具。
【請求項４】
前記本体における縦中心線の上部水平方向に左右相似形の帯状捲回部を形成すると共に、前記帯状捲回部の下部には、後頭部、側頭部、頬及び頸部を被覆する左右相似形の垂らし布片を一体的に延設してなる、
ことを特徴とする請求項１〜請求項３の何れかに記載の汗拭き兼用清涼具。
【請求項５】
前記冷媒剤が粒状又は粉末状のポリアクリル酸ナトリウムからなる高分子ポリマーである、
ことを特徴とする請求項１〜請求項４の何れかに記載の汗拭き兼用清涼具。
【請求項６】
前記冷媒剤を収納するポケットは、ガーゼ地からなる前記本体の裏面部に１〜複数設けられている、
ことを特徴とする請求項１〜請求項５の何れかに記載の汗拭き兼用清涼具。
【発明の詳細な説明】
【技術分野】
【０００１】  本発明は、汗拭き兼用清涼具に係り、より詳しくは、主に外気温が高くなる初夏から初秋にかけてのアウトドアスポーツ、例えば、ウォーキング、ジョギング、ハイキング又はフィッシング等の他、農作業、家庭菜園作業や日曜大工等において、特に人体における発汗が著しい部位、例えば、額部、頸部、頭頂部又は後頭部等の発汗を抑制し、当該部位に心地よい冷感と清涼感を感じさせると共に、発汗した人体の各部位を手早く拭き取ることができる汗拭き兼用清涼具に関する。
【背景技術】
【０００２】  近年、世界各国が排出する膨大な温室効果ガスの影響による地球温暖化が進み、これにより外気温が高い夏日、真夏日又は猛暑日、さらには熱帯夜になる日数が年々増加している傾向にあることが、気象庁等によって発表されている。また熱中症を発症する児童の数も増加している。成人にとっても、外気温が高い夏日、真夏日等炎天下におけるアウトドアスポーツ、例えば、ウォーキング、ジョギング、ハイキング又はフィッシング等の他、農作業、家庭菜園作業や日曜大工等は、発汗作用が激しく、水分補給の頻度は増すので、その楽しさ又は作業効率等は半減するのみならず、疲労度は増大し、気分が悪くなったり、脱水症状やついには熱中症となることもある。また強い紫外線は、人体における肌を露出する部位例えば、頸部、顔面等は熱射被害である皮膚やけど、光老化によるシミ、シワ等の肌トラブル、ＤＮＡ損傷による皮膚がんや視力低下等々の弊害を生じることになる。【０００３】  人体で最も暑さを感じる部位は、一般的に頸部及び後頭部であるといわれている。頸部等の暑さ対策として、近年になり、各種の清涼帯ないし清涼具等が提案されている。例えば、本願出願人による特許文献１「身体用清涼帯」（第２頁、図５参照）、特許文献２「保水バンド」（第２頁、図１参照）、特許文献３「冷却用帯体」（第２頁、図１参照）、特許文献４「清涼帯」（第２頁、図１参照）等である。特許文献１は、保水性及び吸湿性を有する粒状又は粉末状の高分子ポリマーと、前記高分子ポリマーを収納する高吸水性繊維を素材とする帯状の布地体とから構成されている。特許文献２は、二重の帯状の布であり、保水部は吸水性繊維の布であり、保水部は本体バンドの全長に渡り挟まれ、縫い合わされており、本体バンドの両端に剣状帯を、さらにその一端に通し帯を設けて保水バンドを構成している。特許文献３は、帯状袋体内に高分子吸収体からなる超高性能の保水材を充填したことを特徴としている。特許文献４は、布製袋状部の内部に水に不溶性で吸湿性及び保水性に富んだ材料からなる小さな冷媒粒を多数封入してなることを特徴としている。
【先行技術文献】
【特許文献】
【０００４】
【特許文献１】実用新案登録第３１５００９７号公報
【特許文献２】実用新案登録第３１４８５４２号公報
【特許文献３】実用新案登録第３０１１８７９号公報
【特許文献４】実用新案登録第３００６０３２号公報
【発明の概要】
【発明が解決しようとする課題】
【０００５】  上述の特許文献１〜特許文献４は、いずれも帯状ないしバンド（以下、帯体という）であり、そのために水道水を帯体にかけたり、あるいは洗面器等の容器内の水に浸漬する時間は比較的に短時間（約５〜１０分）であるが、使用に際しては、帯体の断面容積が少ないために帯体内の水分が早急に蒸発するので、特に真夏日等にあっては、頻繁な帯体への水分補給が必要であるという欠点を払拭されていない。また帯体であるから、例えばスカーフを頸部に巻き付けるようにして使用するのでファッション性のある清涼具といえなくもないが、なにか充足感が欠けるものがある。【０００６】  本願発明が解決しようとする課題は、以下の通りである。
（１）第１の課題は、日射病、熱中症等を防止する汗拭き兼用清涼具を提供することにあ      る。
（２）第２の課題は、人体における発汗が著しい部位、例えば額部、頸部全体、頭頂部、      側頭部、頬、又は背部上辺等の発汗を抑制すると共に、冷媒剤により当該部位に心      地よい冷感と清涼感を長時間感じさせる、汗拭き兼用清涼具を提供することにある      。
（３）第３の課題は、発汗した人体の各部位を手早く拭き取ることができる汗拭き兼用清      涼具を提供することにある。
【課題を解決するための手段】
【０００７】  本願発明者は、上記従来技術が有する各種問題点に鑑みて、鋭意検討を重ね、特に通気性、吸水性及び柔軟性に富むタオルパイル地及び／又はガーゼ地と、保水性、吸湿性及び膨張性を有する高分子ポリマーに着目して、本願発明を完成させたものである。
課題を解決するための手段は、本願、特許請求の範囲の各請求項に記載の発明であり、その具体的な解決手段は、以下の通りである。【０００８】  上記の課題を解決するための第１の発明は、請求項１に記載する発明であり、
身体の背部上辺より上部に着装する汗拭き兼用清涼具であって、
通気性、吸水性及び柔軟性に富むタオルパイル地及び／又はガーゼ地からなる本体と、
保水性、吸湿性及び膨張性を有する冷媒剤と、
前記冷媒剤を収納する収納体と、
前記本体のほぼ中心又は縦中心線上に形成されるガーゼ地からなるポケットと、
から構成されることを特徴としている。【０００９】  上記の課題を解決するための第２の発明は、請求項２に記載する発明であり、
前記本体の全体又は／及び一部の左右の長さ寸法が少なくとも額部及び頭部全体を周回可能であると共に、左右の両端を結ぶことが可能な構成としている、
ことを特徴としている。【００１０】  上記の課題を解決するための第３の発明は、請求項３に記載する発明であり、
前記本体の中央部をガーゼ地とし、当該中央部の左右に同寸のタオルパイル地を縫製してなるハチマキ状とした、
ことを特徴としている。【００１１】  上記の課題を解決するための第４の発明は、請求項４に記載する発明であり、
前記本体における縦中心線の上部水平方向に左右相似形の帯状捲回部を形成すると共に、前記帯状捲回部の下部には、後頭部、側頭部、頬及び頸部を被覆する左右相似形の垂らし布片を一体的に延設してなる、
ことを特徴している。【００１２】  上記の課題を解決するための第５の発明は、請求項５に記載する発明であり、
前記冷媒剤が粒状又は粉末状のポリアクリル酸ナトリウムからなる高分子ポリマーである、
ことを特徴としている。【００１３】  上記の課題を解決するための第６の発明は、請求項６に記載する発明であり、
前記冷媒剤を収納するポケットは、ガーゼ地からなる前記本体の裏面部に１〜複数設けられている、
ことを特徴としている。
【発明の効果】
【００１４】  本発明に係る、汗拭き用清涼具は、上記した特徴的な構成になるから、以下のような効果を奏する。すなわち、
第１の発明によれば、
「身体の背部上辺より上部に着装する汗拭き兼用清涼具であって、通気性、吸水性及び柔軟性に富むタオルパイル地及び／又はガーゼ地からなる本体と、保水性、吸湿性及び膨張性を有する冷媒剤と、前記冷媒剤を収納する収納体と、前記本体のほぼ中心又は縦中心線上に形成されるガーゼ地からなるポケットと」
から構成されるという特徴的な構成とし、その特徴的構成要件に応じ、
日射病、熱中症等を防止する汗拭き兼用清涼具の提供という第１の課題と、人体における発汗が著しい部位、例えば額部、頸部全体、頭頂部、側頭部、頬、又は背部上辺等の発汗を抑制すると共に、冷媒剤により当該部位に心地よい清涼感を長時間感じさせる、汗拭き兼用清涼具の提供という第２の課題と、前記本体の中央部をガーゼ地とし、当該中央部の左右に同寸のタオルパイル地を縫製してなるハチマキ状としたという第３の課題を一挙に解決することができた。【００１５】  第２の発明によれば、
「前記本体の全体又は／及び一部の左右の長さ寸法が少なくとも額部及び頭部全体又は頸部を周回可能であると共に、左右の両端を結ぶことが可能な構成としている」
という特徴的な構成とし、
また第３の発明によれば、
「前記本体の中央部をガーゼ地とし、当該中央部の左右に同寸のタオルパイル地を縫製してなるハチマキ状とした」
という特徴的な構成とし、その特徴的構成要件に応じ、
第１の課題〜第３の課題を解決することができた。特に人体における発汗が著しい部位、例えば額部及び頸部全体に捲回することにより、発汗を抑制すると共に、冷媒剤により当該部位に心地よい清涼感を長時間感じさせ、発汗部分をタオルパイル地からなる本体で払拭することができる。【００１６】  第４の発明によれば、
「前記本体における縦中心線の上部水平方向に左右相似形の帯状捲回部を形成すると共に、前記帯状捲回部の下部には、後頭部、側頭部、頬及び頸部を被覆する左右相似形の垂らし布片を一体的に延設してなる」
という特徴的な構成とし、その特徴的構成要件に応じ、
第１の課題〜第３の課題を解決することができた。特に人体における発汗が著しい部位、例えば額部、頸部全体、頭頂部、側頭部、頬、又は背部上辺等の発汗を抑制すると共に、冷媒剤により当該部位に心地よい清涼感を長時間感じさせ、発汗部分をタオルパイル地からなる本体で払拭することができる。【００１７】  第５の発明によれば、
「前記冷媒剤が粒状又は粉末状のポリアクリル酸ナトリウムからなる高分子ポリマーである」
という特徴的な構成とし、
また第６の発明によれば、
「前記冷媒剤を収納するポケットは、ガーゼ地からなる前記本体の裏面部に１〜複数設けられている」
いう特徴的な構成とし、その特徴的構成要件に応じ、
第１の課題〜第３の課題を解決することができた。
【図面の簡単な説明】
【００１８】
【図１】は、本発明に係る、汗拭き兼用清涼具の一例を示す一部切欠背面図である。
【図２】は、図１における２−２線拡大断面図である。
【図３】（ａ）は、図１における汗拭き兼用清涼具の使用状態を示す正面図、（ｂ）は、同側面図である。
【図４】は、本発明に係る、汗拭き兼用清涼具の他の例を示す展開背面図である。
【図５】（ａ）は、図４におけるａ−ａ線断面図、（ｂ）は、図４におけるｂ−ｂ線断面図である。
【図６】（ａ）は、図４における汗拭き兼用清涼具の使用状態を示す正面図、（ｂ）は、同側面図である。
【発明を実施するための形態】
【００１９】  図１〜図３は、本発明に係る、汗拭き兼用清涼具（以下、清涼具ＨＣ１という）の一例である。清涼具ＨＣ１は、図示するようにハチマキ状の清涼具ＨＣ１であり、本体１は、中央部２、該中央部２の左右に配設された左側部３及び右側部４から構成され、中央部２の縦中心線上Ｃ−Ｃにはガーゼ地からなるポケット５が縫着されている。ポケット５内には、冷媒剤Ｐを封入した収納体６が収納されている。
【００２０】  本体１は、例えば、成人用とするときは、その長手寸法Ｌを約１２０〜１２５ｃｍとし、中央部２の長手寸法Ｌ１を約３８〜４０ｃｍ、左側部３及び右側部４の長手寸法Ｌ２を約４０〜４３ｃｍとすることができる。短手寸法Ｗを約１２〜１３ｃｍとすることが好ましい。中央部２は、ガーゼ地からなる布帛を水平方向に二重折りして縫製している。左側部３は、タオルパイル地からなり、短手部分を水平方向に三重折りし、一端は中央部２の左側縁１ａに縫着され、また右側部４はタオルパイル地からなり、短手部分を水平方向に三重折りし、一端は中央部２の右側縁１ｂに縫着されている。
【００２１】  ポケット５は、例えば長手寸法Ｌ５を約２２〜２３ｃｍとし、短手寸法Ｗ５を約７．５〜８ｃｍとしている。ポケット５は、通気性及び柔軟性に富むガーゼ地が好ましい。矩形状ポケット５の底部５ａ、左側縁５ｂ及び右側縁５ｃは中央部２の裏面に縫製され、ポケット５の上方には開口部５ｄが形成されている。開口部５ｄから冷媒剤Ｐを封入した収納体６が収納されて使用される。
【００２２】  冷媒剤Ｐは、粒状又は粉末状のポリアクリル酸ナトリウムを主成分とする高分子ポリマーである。冷媒剤Ｐは、図１〜図２に示すように、収納体６に封入されている。収納体６の表地６ａは、好通気性、高吸水性繊維、例えばポリエステル繊維又はポリエステルとナイロン混紡繊維等を素材とし、消臭加工、抗菌・防かび加工及び／又はＵＶ加工されている。また収納体６は、高分子ポリマーが膨張時、ポケット５内に収納可能な大きさに設定されている。
【００２３】  図３（ａ）及び（ｂ）は、ハチマキ状の清涼具ＨＣ１を額部に捲回した使用状態を示し、ている。清涼具ＨＣ１を使用するには、予め冷媒剤Ｐが封入された収納体６の表地６ａに水（真水）をかけるか、又は収納体６を、例えば、洗面容器等の水中に約３〜５分間浸漬させて表地６ａに水分を含ませる。つぎに収納体６をポケット５内に収納し、図３（ａ）に図示するように、収納体６を額部中央に配置して左側部３及び右側部４を側頭部に捲回し、その両端を後頭部で括り、固定して使用する。これにより、冷媒剤Ｐの高分子ポリマー、例えば、ポリアクリル酸ナトリウムの分子表面は、水分気化熱により、収納体６の表面温度を下げることになり、ポケット５に当接する、例えば人体の額部は、外気温より２〜３°低くなり、冷感と清涼感を感じることになる。収納体６の水分が蒸発すれば、該収納体６をポケット５から取り出して、再度収納体６の表面に水をかけるか、容器内の真水に約３〜５分間浸漬して水分を補給し、再びポケット５内に収納して使用すれば、繰り返し冷感と清涼感を感じることができる。また、発汗部分をタオルパイル地からなる左側部３又は右側部４で払拭することができる。さらに成人又は小児等が風邪による発熱した際には、清涼具ＨＣ１を額部にハチマキ状に捲回して熱さましとして使用することができるのはもちろんである。
【００２４】  図４〜図６は、本発明に係る、汗拭き兼用清涼具（以下、清涼具ＨＣ２という）における他の例を示している。清涼具ＨＣ２において、本体２１は、タオルパイル地を素材としている。図示するように、本体２１の縦中心線Ｃ−Ｃにおける、上部水平方向に左右相似形の帯状捲回部２２及び２３を形成すると共に、帯状捲回部２２及び２３の下部には、後頭部、側頭部、頬及び頸部を被覆する左右相似形の垂らし布片２４を一体的に延設した構成としている。帯状捲回部２２及び２３の中央には、ポケット２５が設けられている。また垂らし布片２４の下方中央にはポケット２６が設けられている。
【００２５】  ポケット２５及び２６は、例えば長手寸法Ｌ２５を約１８〜２３ｃｍとし、短手寸法Ｗ２５を約８．５〜１０ｃｍとしている。ポケット２５及び２６は、通気性及び柔軟性に富むガーゼ地が好ましい。矩形状ポケット２５の上部２５ａ、左側縁２５ｂ及び右側縁２５ｃは本体２１の裏面に縫着され、ポケット２５の下方は、開口部２５ｄが形成されている（図５（ａ）参照）。開口部２５ｄから冷媒剤Ｐを封入した収納体ＰＳが収納されて使用される。また矩形状ポケット２６の底部２６ａ、左側縁２６ｂ及び右側縁２６ｃは、本体２１の裏面に縫着され、ポケット２６の上方は、開口部２６ｄが形成されている（図５（ｂ）参照）。開口部２６ｄから冷媒剤Ｐを封入した収納体ＰＳが収納されて使用される。
【００２６】  清涼具ＨＣ２を、成人用として製作するときは、例えば、帯状捲回部２２及び２３の横手寸法ＬＬを約８５〜９０ｃｍとし、本体２１の縦寸法ＬＷを約６０〜６３ｃｍとすることができる。図６（ａ）及び（ｂ）は、清涼具ＨＣ２の使用状態を示している。清涼具ＨＣ２を頭部等に着装するには、まず帯状捲回部２２及び２３のほぼ中央を左右の手で把持し、冷媒剤Ｐ入り収納体ＰＳが入ったポケット２６を頸部後部又は後頭部に接するように配置する。次に冷媒剤Ｐ入り収納体ＰＳが入ったポケット２５を額部のほぼ中央に配置し（図６（ａ）、参照）、帯状捲回部２２及び２３を後頭部まで回し、その両端を括って固定する（図６（ｂ）、参照）。これにより、冷媒剤Ｐの高分子ポリマー例えば、ポリアクリル酸ナトリウムの分子表面は、水分気化熱により、収納体ＰＳの表面温度を下げることになり、ポケット２５及び２６に当接する、例えば人体の額部はもちろん、後頭部、側頭部、頬及び頸部は、外気温より２〜３°低くなり、冷感と清涼感を感じることになる。収納体ＰＳの水分が蒸発すれば、該収納体ＰＳをポケット２５及び２６から取り出して、再度収納体ＰＳの表面に水をかけるか、容器内の真水に約３〜５分間浸漬して水分を補給し、再びポケット２５及び２６内に収納して使用すれば、繰り返し冷感と清涼感を感じることができる。また、発汗部分をタオルパイル地からなる本体２１で払拭することができる。
【符号の説明】
【００２７】ＨＣ１          清涼具
Ｐ              冷媒剤
１              本体
２              中央部
３              左側部
４              右側部
５              ポケット
６              収納体
２２、２３      帯状捲回部
２４            垂らし布片
２５、２６      ポケット
【図１】
2011104322.tif 000003
【図２】
2011104322.tif 000004
【図３】
2011104322.tif 000005
【図４】
2011104322.tif 000006
【図５】
2011104322.tif 000007
【図６】
2011104322.tif 000008